(57)【要約】【課題】洗浄水の噴射により食器等の洗浄を行う食器洗い機において、洗浄槽を溶接やシール材を用いることなく構成し、また、洗浄槽の上部から水が漏れた場合でも食器洗い機本体との間で回収して機外に水を漏らさないようにし、製造コストが安価な食器洗い機を提供する。【解決手段】食器洗い機本体１１の内部に洗浄槽１０を設け、洗浄槽１０の上部を上面構成部材１３により構成し、洗浄槽１０の少なくとも側面を洗浄槽部材１２により構成し、上面構成部材１３には洗浄槽部材１２の上端部との第１の当接面２３より洗浄槽部材１２の内方側に遮蔽リブ３０を設け、洗浄槽部材１２と遮蔽リブ３０の間に、水が毛細管現象にて上昇しない程度の回収空間３１を設けた。【選択図】図２
2006075637.tif 000002
【特許請求の範囲】
【請求項１】
食器洗い機本体と、前記食器洗い機本体の内部に設けた洗浄槽と、前記洗浄槽の上部を構成する上面構成部材と、前記洗浄槽の少なくとも側面を構成する洗浄槽部材とを備え、前記上面構成部材には前記洗浄槽部材の上端部との第１の当接面より前記洗浄槽部材の内方側に遮蔽リブを設け、前記洗浄槽部材と前記遮蔽リブの間に、水が毛細管現象にて上昇しない程度の回収空間を設けた食器洗い機。
【請求項２】
洗浄槽部材の上端部近傍に、洗浄槽内方へ突出する突出部を回収空間の入口が小さくなるように設けた請求項１記載の食器洗い機。
【請求項３】
上面構成部材は、食器洗い機本体および洗浄槽の上部を一体共用する構成とするとともに、前記洗浄槽部材と前記上面構成部材との第１の当接面は、前記食器洗い機本体部材と前記上面構成部材との第２の当接面より下方に位置させた請求項１または２記載の食器洗い機。
【請求項４】
上面構成部材は、食器洗い機本体および洗浄槽の上部を一体共用する構成とするとともに、前記洗浄槽部材との第１の当接面と、前記食器洗い機本体部材との第２の当接面との間に下方へ延びる回収リブを設けた請求項１〜３のいずれか１項記載の食器洗い機。
【請求項５】
洗浄槽部材の外面上部に外側への凸部を設け、上面構成部材には、前記凸部の位置に合わせて係合部を設け、前記係合部を前記凸部に係合することにより、前記上面構成部材を前記洗浄槽部材に固定した請求項１〜４のいずれか１項記載の食器洗い機。
【請求項６】
洗浄槽部材を金属製とするとともに、上面構成部材を樹脂製とし、前記洗浄槽部材の上端部は、外側への折り返し形状とするとともに、その折り返しの外側部分には、外方への切起こし部を設け、この切起こし部に前記上面構成部材の係合部を係合するよう構成した請求項５記載の食器洗い機。
【発明の詳細な説明】
【技術分野】
【０００１】
本発明は、洗浄水の噴射により食器等の洗浄を行う食器洗い機に関する。
【背景技術】
【０００２】
従来、この種の食器洗い機は図３に示すように構成していた。以下、その構成について説明する。
【０００３】
図３に示すように、食器類１を収容する洗浄槽２は、樹脂製の底部構成部材３と、この底部構成部材３の上に設けた金属（ステンレス鋼板）製の洗浄槽部材４とで構成している。洗浄槽２は、金属製の洗浄槽部材４の前方に開口部５を有し、この開口部５を扉６により開閉するとともに、樹脂製の底部構成部材３に洗浄水を噴射する洗浄ノズル７を回転自在に配設しており、洗浄槽２内に食器類１を収容する食器かご８を配置している。金属製の洗浄槽部材４はユーザーが製品使用時に目に付く側壁面を構成し、また、上面も同じ金属を使用し、溶接等で接合している。
【０００４】
また、洗浄槽２は、樹脂製の底部構成部材３の上方より、金属製の洗浄槽部材４を挿着し、上下の抜け方向に規制した結合構成としており、接合部８からの水漏れを底部構成部材３に設けた上方への立ち上がり部９によって、底部構成部材３内へ回収する構成としている（例えば、特許文献１参照）。
【特許文献１】特開２０００−２９６０８７号公報（第３頁、図１）
【発明の開示】
【発明が解決しようとする課題】
【０００５】
このような従来の構成で、図３に示すように、金属製の洗浄槽部材４の側面を構成する部材と上面を構成する部材との接続は、洗浄水を外部に漏らさないように、溶接もしくは、シール材により水封する構成としているため、製造コストが高価になるという問題を有していた。
【０００６】
また、従来の構成の、底部構成部材３と金属製の洗浄槽部材４との接合部と同じ形状を反転して上部に用いた場合では、接合部８より漏れた水を回収することができないという問題を有していた。
【０００７】
本発明は上記従来の課題を解決するもので、洗浄槽を溶接やシール材を用いることなく構成し、また、洗浄槽の上部から水が漏れた場合でも食器洗い機本体との間で回収して機外に水を漏らさないようにし、製造コストが安価な食器洗い機を提供することを目的としている。
【課題を解決するための手段】
【０００８】
本発明は上記目的を達成するために、食器洗い機本体の内部に洗浄槽を設け、洗浄槽の上部を上面構成部材により構成するとともに、洗浄槽の少なくとも側面を洗浄槽部材により構成し、上面構成部材には洗浄槽部材の上端部との第１の当接面より洗浄槽部材の内方側に遮蔽リブを設け、洗浄槽部材と遮蔽リブの間に、水が毛細管現象にて上昇しない程度の回収空間を設けたものである。
【０００９】
これにより、洗浄槽を溶接やシール材を用いることなく構成することができ、また、洗浄槽の上部から水が漏れた場合でも食器洗い機本体との間で回収して機外に水を漏らさないようにでき、製造コストが安価な食器洗い機を提供することができる。
【発明の効果】
【００１０】
以上のように、本発明の請求項１に記載の発明によれば、食器洗い機本体の内部に洗浄槽を設け、洗浄槽の上部を上面構成部材により構成するとともに、洗浄槽の少なくとも側面を洗浄槽部材により構成し、上面構成部材には洗浄槽部材の上端部との第１の当接面より洗浄槽部材の内方側に遮蔽リブを設け、洗浄槽部材と遮蔽リブの間に、水が毛細管現象にて上昇しない程度の回収空間を設けたから、洗浄槽を溶接やシール材を用いることなく構成することができ、また、洗浄槽の上部から水が漏れた場合でも食器洗い機本体との間で回収して機外に水を漏らさないようにでき、製造コストが安価な食器洗い機を提供することができる。
【発明を実施するための最良の形態】
【００１１】
本発明の請求項１に記載の発明は、食器洗い機本体と、前記食器洗い機本体の内部に設けた洗浄槽と、前記洗浄槽の上部を構成する上面構成部材と、前記洗浄槽の少なくとも側面を構成する洗浄槽部材とを備え、前記上面構成部材には前記洗浄槽部材の上端部との第１の当接面より前記洗浄槽部材の内方側に遮蔽リブを設け、前記洗浄槽部材と前記遮蔽リブの間に、水が毛細管現象にて上昇しない程度の回収空間を設けたものであり、洗浄槽を溶接やシール材を用いることなく構成することができ、また、遮蔽リブに付着した水滴が、毛細管現象で洗浄槽の外に漏れるのを防止することができ、機外に水を漏らさないようにでき、製造コストが安価な食器洗い機を提供することができる。
【００１２】
請求項２に記載の発明は、上記請求項１に記載の発明において、洗浄槽部材の上端部近傍に、洗浄槽内方へ突出する突出部を回収空間の入口が小さくなるように設けたものであり、水が遮蔽リブと洗浄槽部材との間に設けた回収空間に入りにくくできるともに、回収空間に入ろうとする水を突出部と洗浄槽部材との間で保持して、さらに奥の回収空間に入ってしまうことを抑制することができる。
【００１３】
請求項３に記載の発明は、上記請求項１または２に記載の発明において、上面構成部材は、食器洗い機本体および洗浄槽の上部を一体共用する構成とするとともに、前記洗浄槽部材と前記上面構成部材との第１の当接面は、前記食器洗い機本体部材と前記上面構成部材との第２の当接面より下方に位置させたものであり、洗浄槽の上部から水が漏れた場合でも食器洗い機本体との間で回収して機外に水を漏らさないようにでき、製造コストが安価な食器洗い機を提供することができる。
【００１４】
請求項４に記載の発明は、上記請求項１〜３に記載の発明において、上面構成部材は、食器洗い機本体および洗浄槽の上部を一体共用する構成とするとともに、前記洗浄槽部材との第１の当接面と、前記食器洗い機本体部材との第２の当接面との間に下方へ延びる回収リブを設けたものであり、洗浄槽部材と上面構成部材との第１の当接面から洗浄槽外に水が漏れた場合でも食器洗い機本体との間で回収して機外に水を漏らさないようにでき、製造コストが安価な食器洗い機を提供することができる。
【００１５】
請求項５に記載の発明は、上記請求項１〜４に記載の発明において、洗浄槽部材の外面上部に外側への凸部を設け、上面構成部材には、前記凸部の位置に合わせて係合部を設け、前記係合部を前記凸部に係合することにより、前記上面構成部材を前記洗浄槽部材に固定したものであり、溶接、ビス締結の必要性がなく、製造が容易で、安価な洗浄槽を得ることができる。
【００１６】
請求項６に記載の発明は、上記請求項５に記載の発明において、洗浄槽部材を金属製とするとともに、上面構成部材を樹脂製とし、前記洗浄槽部材の上端部は、外側への折り返し形状とするとともに、その折り返しの外側部分には、外方への切起こし部を設け、この切起こし部に前記上面構成部材の係合部を係合するよう構成したものであり、洗浄槽は、穴を空けることなく、容易に加工ができる構成にすることができる。
【００１７】
（実施の形態１）
以下、本発明の実施の形態１について、図面を参照しながら説明する。
【００１８】
図１に示すように、洗浄槽１０は、食器洗い機本体１１の内部に設け、側面を構成するステンレス鋼板などの金属製の洗浄槽部材１２と、洗浄槽部材１２の上部を構成する樹脂製の上面構成部材１３と、底部を構成する樹脂製の底部構成部材１４とで構成している。また、食器洗い機本体１１は、洗浄槽部材１２の上部を構成する樹脂製の上面構成部材１３を共用し、この上面構成部材１３と側面を構成する食器洗い機本体部材１５とで構成している。
【００１９】
この洗浄槽１０は、洗浄槽部材１２の前方に開口部１６を有し、開口部１６には、開閉自在に覆う扉体１７と、扉体１７の閉成状態で開口部１６と水封する水封部材１８とを設けている。樹脂製の底部構成部材１４に洗浄水を噴射する洗浄ノズル１９を回転自在に配設し、洗浄槽１０内に食器類２０を収容する食器かご２１を配置している。
【００２０】
洗浄槽部材１２の上端部２２は上面構成部材１３と第１の当接面２３により当接し、食器洗い機本体部材１５と上面構成部材１３とは第２の当接面２４により当接している。ここで、第１の当接面２３は第２の当接面２４より下方の位置に構成している。また、洗浄槽部材１２の上端部２２の前端部２５は、上面構成部材１３の前端面２６より前方に位置するとともに、その内方側に水封部材１８を配設している。
【００２１】
また、図２に示すように、洗浄槽部材１２の上端部２２は外側への折り返し形状とするとともに、その折り返しの外側部分には、外方への切起こし部２７を数ヵ所設けている。
【００２２】
また、上面構成部材１３は、第１の当接面２３と第２の当接面２４との間に、下方へ延びる回収リブ２８を一体的に形成するとともに、この回収リブ２８の一部に、洗浄槽部材１２に設けた切起こし部２７の位置に合わせた係合部２９を形成し、洗浄槽部材１２の上方から挿着する構成としている。また、第１の当接面２３より洗浄槽１０内方側に遮蔽リブ３０を設けており、洗浄槽部材１２と遮蔽リブ３０との間は、水が毛細管現象にて上昇しない程度の回収空間３１を設けている。
【００２３】
また、洗浄槽部材１２には、上端部２２の近傍に洗浄槽１０内方への突出部３２を設けており、洗浄槽部材１２と遮蔽リブ３０に設けた回収空間３１の入口が小さくなるよう構成している。
【００２４】
上記構成において作用を説明すると、洗浄槽１０は、上面構成部材１３を金属製の洗浄槽部材１２の上方より挿着することで、係合部２９がそれ自身の弾性にて洗浄槽部材１２に設けた切起こし部２７に係合し、上下方向の規制がされ、樹脂製の上面構成部材１３と金属製の洗浄槽部材１２とを結合して一体化する。同様に、底部構成部材１５の上方より洗浄槽部材１２を一体化し、洗浄槽１０を構成することができる。したがって、洗浄槽１０を溶接やシール材を用いることなく構成することができ、製造コストが安価な食器洗い機を提供することができる。
【００２５】
また、噴射された洗浄水が上面構成部材１３に設けた遮蔽リブ３０と洗浄槽部材１２に設けた突出部３２によって、第１の当接面２３に直接当たる水の量を減らすことができる。
【００２６】
また、上面構成部材１３と洗浄槽部材１２の上端部２２の隙間に表面張力によって侵入した水は、回収空間３１があるため、毛細管現象によって、第１の当接面２３に水が上がってくるのを防止することができる。
【００２７】
また、回収空間３１に溜まった水は、その大半が洗浄槽１０内へ回収されるが、一部は、表面張力によって上面構成部材１３の前端面２６に移動する。このとき、洗浄槽部材１２と上面構成部材１３の前端部２５近傍には隙間が生じるが、前端部２５は上面構成部材１３の前端面２６より前方に位置するとともに、その内方側に水封部材１８を配設しているため、洗浄水が表面張力で外へ漏れるのを水封部材１８で防ぐことができる。
【００２８】
また、第１の当接面２３は第２の当接面２４より下方の位置にあるため、第１の当接面２３より漏れた水は、回収リブ２８によって洗浄槽部材１２側に集められ、食器洗い機本体１１の外には水が漏れることがない。また、この漏れた水は、洗浄槽部材１２を伝って流れ、底部構成部材１４に回収することができる。
【００２９】
このように本実施の形態によれば、食器洗い機本体１１および洗浄槽１０の上部を上面構成部材１３により構成し、洗浄槽１２の側面を洗浄槽部材１２により構成するとともに、食器洗い機本体１１の側面を食器洗い機本体部材１５により構成し、洗浄槽部材１２と上面構成部材１３との第１の当接面２３は、食器洗い機本体部材１５と上面構成部材１３との第２の当接面２４より下方に位置したので、洗浄槽１０を溶接やシール材を用いることなく構成することができ、また、洗浄槽１０の上部から水が漏れた場合でも食器洗い機本体１１との間で回収して機外に水を漏らさないようにでき、製造コストが安価な食器洗い機を提供することができる。
【００３０】
また、上面構成部材１３には洗浄槽部材１２の上端部２２との第１の当接面２３より洗浄槽部材１２の内方側に遮蔽リブ３０を設け、洗浄槽部材１２と遮蔽リブ３０の間は、水が毛細管現象にて上昇しない程度の隙間としたので、遮蔽リブ３０に付着した水滴が、毛細管現象で洗浄槽１０の外に漏れるのを防止することができる。
【００３１】
また、洗浄槽部材１２の上端部２２は、上面構成部材１３の第１の当接面２３にて当接し、上端部２２の前端部２５は上面構成部材１３の前端面２６より前方に位置するとともに、その内方側に水封部材１８を有するので、上面構成部材１３と洗浄槽部材１２の隙間に侵入した水が、上面構成部材１３の前端面２６から洗浄槽１０の外へ漏れるのを水封部材１８で防ぐことができる。
【００３２】
また、洗浄槽部材１２の外面上部に外側への切起こし部（凸部）２７を設け、上面構成部材１３には、切起こし部２７の位置に合わせて係合部２９を設け、係合部２９を切起こし部２７に係合することにより、上面構成部材１３を洗浄槽部材１２に固定したので、溶接、ビス締結の必要性がなく、製造が容易で、安価な洗浄槽を得ることができる。
【００３３】
また、洗浄槽部材１２を金属製とするとともに、上面構成部材１３を樹脂製とし、洗浄槽部材１２の上端部２２は、外側への折り返し形状とするとともに、その折り返しの外側部分には、外方への切起こし部２７を設け、この切起こし部２７に上面構成部材１３の係合部２９を係合するよう構成したので、洗浄槽は、穴を空けることなく、容易に加工ができる構成にすることができる。
【００３４】
なお、本実施の形態では、金属製の洗浄槽部材１２は、洗浄槽１０の側面を構成しているが、洗浄槽１０の側面だけでなく底部も構成してもよく、また、食器洗い機本体部材１５は、食器洗い機本体１１の側面を構成しているが、食器洗い機本体１１の側面だけでなく底部も構成してもよく、同様の作用、効果を得ることができる。
【産業上の利用可能性】
【００３５】
以上のように、本発明にかかる食器洗い機は、洗浄槽を溶接やシール材を用いることなく構成し、また、洗浄槽の上部から水が漏れた場合でも食器洗い機本体との間で回収して機外に水を漏らさないようにし、製造コストが安価な食器洗い機を提供することが可能となるので、洗浄水の噴射により食器類の洗浄を行う食器洗い機等として有用である。
【図面の簡単な説明】
【００３６】
【図１】本発明の実施の形態１の食器洗い機の縦断面図
【図２】同食器洗い機の要部拡大断面図
【図３】従来の食器洗い機の縦断面図
【符号の説明】
【００３７】
１０  洗浄槽
１１  食器洗い機本体
１２  洗浄槽部材
１３  上面構成部材
１５  食器洗い機本体部材
２３  第１の当接面
２４  第２の当接面
２７  切起こし部（凸部）
２８  回収リブ
２９  係合部
３０  遮蔽リブ
３１  回収空間
３２  突出部
【図１】
2006075637.tif 000003
【図２】
2006075637.tif 000004
【図３】
2006075637.tif 000005